(57)【特許請求の範囲】
【請求項１】
造営材に固定される器具本体と、
蓄電池、前記蓄電池からの供給電力で点灯可能な光源及び前記光源に流れる電流を制御する電流制御回路を具備して前記器具本体に取り付けられるランプユニットと、
前記ランプユニットの動作状態を、外部電源から電力供給を受けて前記蓄電池を充電する第１動作状態、及び、前記蓄電池からの電力で前記光源を点灯させる第２動作状態の何れかに切り替える制御ブロックとを備え、
前記制御ブロックは、前記器具本体に取り付けられており、
前記ランプユニットは、前記光源の種類が異なる複数種類のランプユニットのうちの何れかであり、
前記制御ブロックは、前記ランプユニットが有する第１コネクタに接続される第２コネクタを有し、
前記ランプユニットは、前記第１コネクタ及び前記第２コネクタを介して前記制御ブロックに電気的に接続された状態で前記器具本体に取り付けられており、前記制御ブロックによって動作状態が切り替えられるように構成されたことを特徴とする照明器具。
【請求項２】
前記ランプユニットが、前記光源の配光を制御するレンズ、及び、前記光源の照射光のうち少なくとも一部を所望の照明方向に反射する反射部材の何れかを備えることを特徴とする請求項１記載の照明器具。
【発明の詳細な説明】
【技術分野】
【０００１】
本発明は、照明器具に関するものである。
【背景技術】
【０００２】
従来、二次電池を備え、通常（非停電時）は商用電源からの電力で二次電池を充電し、停電時は二次電池を電源として光源を点灯させる照明器具（いわゆる非常灯）が提供されている（例えば特許文献１参照）。
【０００３】
図６は特許文献１に開示された照明器具の分解斜視図である。この照明器具は、例えば天井材１００に形成された孔１０１に下側から挿入されて固定される有底筒状の器具本体１を有し、器具本体１の内部に、点灯回路を収納した非常灯ブロック３１が装着されている。
【０００４】
器具本体１の下端部の外周縁には、外側に突出する鍔１ａが略全周に亘って設けられている。また、器具本体１の外周面には、天井材１００の上面に当接する取付金具１ｂが、外周面から外側に突出する位置と、外周面の内側に引っ込んだ位置との間で移動自在に設けられている。而して、器具本体１は、取付金具１ｂを内側に引っ込めた状態で孔１０１内に下側から挿入され、鍔１ａの上面に天井材１００の下面を当接させた状態で、取付金具１ｂを器具本体１の外周面から出っ張らせ、取付金具１ｂを天井材１００の上面に当接させることで、天井材１００に取り付けられる。
【０００５】
この器具本体１には、下面の開口から、蓄電池を収納した電池ユニット３２が取り付けられた後、下面の開口を塞ぐようにして反射鏡ユニット１０が取り付けられる。電池ユニット３２の下面に設けられたソケット３３は、反射鏡ユニット１０の中央の孔から露出しており、このソケット３３にランプ３４が取り付けられる。
【先行技術文献】
【特許文献】
【０００６】
【特許文献１】実開平７−１６３１３号公報
【発明の概要】
【発明が解決しようとする課題】
【０００７】
上記特許文献１に開示された照明器具では、器具本体１に対して電池ユニット３２及び反射鏡ユニット１０は着脱可能になっているので、電池ユニット３２や反射鏡ユニット１０の交換は容易であるが、点灯回路は器具本体１と一体になっていた。
【０００８】
ところで近年、防災に対する意識が高まり、非常用照明器具に要求される点灯時間も３０分から６０分へとシフトしつつある。点灯時間などの仕様を変更するためには、電池ユニット３２を交換するだけでなく、点灯回路を収納した非常灯ブロック３１の交換が必要になり、器具本体１の全体を交換する必要があった。また、光源を白熱灯からＬＥＤに変更する場合にも、光源に流す電流が異なるため、やはり非常灯ブロック３１の交換が必要になり、器具本体１の全体を交換する必要があるため、交換作業に手間がかかり、交換に要する費用が高くなるという問題があった。
【０００９】
本発明は上記課題に鑑みて為されたものであり、その目的とするところは、仕様の変更を容易且つ安価に行える照明器具を提供することにある。
【課題を解決するための手段】
【００１０】
本発明の照明器具は、造営材に固定される器具本体と、蓄電池、前記蓄電池からの供給電力で点灯可能な光源及び前記光源に流れる電流を制御する電流制御回路を具備して前記器具本体に取り付けられるランプユニットと、前記ランプユニットの動作状態を、外部電源から電力供給を受けて前記蓄電池を充電する第１動作状態、及び、前記蓄電池からの電力で前記光源を点灯させる第２動作状態の何れかに切り替える制御ブロックとを備え、前記制御ブロックは、前記器具本体に取り付けられており、前記ランプユニットは、前記光源の種類が異なる複数種類のランプユニットのうちの何れかであり、前記制御ブロックは、前記ランプユニットが有する第１コネクタに接続される第２コネクタを有し、前記ランプユニットは、前記第１コネクタ及び前記第２コネクタを介して前記制御ブロックに電気的に接続された状態で前記器具本体に取り付けられており、前記制御ブロックによって動作状態が切り替えられるように構成されたことを特徴とする。
【００１１】
この照明器具において、前記ランプユニットが、前記光源の配光を制御するレンズ、及び、前記光源の照射光のうち少なくとも一部を所望の照明方向に反射する反射部材の何れかを備えることも好ましい。
【発明の効果】
【００１２】
本発明によれば、停電時の点灯時間や光源の種類を変更したい場合でも、器具本体に着脱自在に取り付けられるランプユニットに蓄電池と光源と電流制御回路が設けられているので、ランプユニットを入れ替えることで対応できる。したがって、器具本体の交換は不要であり、従来に比べて交換部品の数が減り、また交換作業の手間を少なくできるから、仕様の変更を容易且つ安価に行うことができる。さらに、電流制御回路が光源に流れる電流を制御することによって、所望の光量を得ることができ、また蓄電池によって点灯可能な時間を制御することができる。例えば電流を制限することで、点灯可能時間を延ばすことができる。
【図面の簡単な説明】
【００１３】
【図１】本実施形態の照明器具の概略的なブロック図である。
【図２】同上の施工状態を示す一部省略せる断面図である。
【図３】（ａ）は同上の制御ブロックにランプユニットを取り付ける前の状態の説明図、（ｂ）（ｃ）は制御ブロックにランプユニットが取り付けられた状態の説明図である。
【図４】同上のレンズ一体形ランプユニットの説明図である。
【図５】同上の反射部材一体形ランプユニットの説明図である。
【図６】従来の照明器具の分解斜視図である。
【発明を実施するための形態】
【００１４】
以下に、本発明に係る照明器具の実施形態を図１〜図５に基づいて説明する。
【００１５】
本実施形態の照明器具は、図１及び図２に示すように、器具本体１と、複数種類あるランプユニット２Ａ，２Ｂの何れかと、制御ブロック３と、端子台９と、反射鏡ユニット１０とを備えている。尚、図２は照明器具が天井材１００に取り付けられた状態の断面図であり、図２では制御ブロック３及び端子台９の図示を省略している。
【００１６】
器具本体１は、図６に示す従来例の器具本体１と同様の構成を有しており、天井材１００に設けられた孔１０１に下側から挿入され、鍔１ａと取付金具（図示せず）との間で天井材１００を挟持することによって天井材１００に固定される。器具本体１の内部には端子台９と制御ブロック３とが固定されている。また器具本体１の下端側の開口から、ランプユニット２Ａ，２Ｂの何れかが着脱自在に取り付けられるようになっている。尚、２種類のランプユニット２Ａ，２Ｂに共通する説明を行う場合はランプユニット２と表記し、個別の説明を行う場合はランプユニット２Ａ或いはランプユニット２Ｂと表記する。
【００１７】
端子台９には、天井材１００の裏側に先行配線された電源線Ｌ１と、制御ブロック３からの電線とがそれぞれ接続され、制御ブロック３からの電線と電源線Ｌ１との間を中継接続する。
【００１８】
制御ブロック３は器具本体１に取り付けられている。図３（ａ）に示すように、端子台９からの電線は制御ブロック３の入力端子ｔ１ａ，ｔ１ｂに接続されており、制御ブロック３は端子台９を介して外部電源に接続されている。また制御ブロック３は、ランプユニット２が備えるコネクタＣＮ２（第１コネクタ）に着脱自在に接続されるコネクタＣＮ１（第２コネクタ）を備えている。コネクタＣＮ１には４極の接続端子ｔ２ａ，ｔ２ｂ，ｔ３ａ，ｔ３ｂが設けられている。ここで、外部電源からの電力供給が正常な通常時には、制御ブロック３は、端子ｔ２ａ，ｔ１ａ間、端子ｔ２ｂ，ｔ１ｂ間をそれぞれ導通させており、接続端子ｔ３ａ，ｔ３ｂを開放状態としている。一方、外部電源からの電力供給が遮断された停電時には、制御ブロック３は、接続端子ｔ２ａを接続端子ｔ３ａに、接続端子ｔ２ｂを接続端子ｔ３ｂにそれぞれ接続し、入力端子ｔ１ａ，ｔ１ｂを開放状態としている。
【００１９】
次にランプユニット２Ａ，２Ｂについて説明する。図３（ａ）〜（ｃ）に示すように、ランプユニット２Ａ，２Ｂは光源の種類が異なる以外は共通であり、ランプユニット２Ａは光源として白熱ランプ５Ａを備え、ランプユニット２Ｂは光源として発光ダイオード５Ｂを備えている。
【００２０】
ランプユニット２Ａは、蓄電池４と、白熱ランプ５Ａと、蓄電池４を電源として白熱ランプ５Ａに供給する電流を制御することによって白熱ランプ５Ａを点灯させる電流制御回路６とを具備して、器具本体１に着脱自在に取り付けられる。
【００２１】
ランプユニット２Ｂは、白熱ランプ５Ａの代わりに発光ダイオード５Ｂを備える点でランプユニット２Ａと異なり、それ以外はランプユニット２Ａと共通するので、その説明は省略する。
【００２２】
ランプユニット２は、器具本体１の内部に収納される器体２０を有し、器体２０の下面にそれぞれ光源５（白熱ランプ５Ａ又は発光ダイオード５Ｂ）が取り付けられている。
器体２０は、従来の照明器具と同様、固定用の係止爪２０ａ，２０ｂを備えており、これらの係止爪２０ａ，２０ｂを器具本体１や制御ブロック３に係止させることによって、器具本体１及び制御ブロック３に取り付けられる。そして、器体２０の上面には、器具本体１の内部に器体２０が取り付けられた状態で、制御ブロック３のコネクタＣＮ１に着脱自在に接続されるコネクタＣＮ２が設けられている。コネクタＣＮ２は、コネクタＣＮ１の接続端子ｔ２ａ，ｔ２ｂ，ｔ３ａ，ｔ３ｂにそれぞれ接続される４極の接続端子ｔ４ａ，ｔ４ｂ，ｔ５ａ，ｔ５ｂを備えている。接続端子ｔ４ａ，ｔ４ｂの間には４個の蓄電池４とヒューズ１１とが直列に接続され、接続端子ｔ５ａ，ｔ５ｂの間には電流制御回路６を介して光源５（白熱ランプ５Ａ又は発光ダイオード５Ｂ）が接続されている。
【００２３】
器具本体１の下端部には、器具本体１の下端開口を塞ぐようにして反射鏡ユニット１０が取り付けられており、反射鏡ユニット１０の中央の孔１０ａから光源５が下側に露出する。反射鏡ユニット１０の反射面１０ｂによって、光源５から照射された光の一部（例えば横方向に照射された光）が所望の照明方向（例えば下方）に反射されるので、光源５から照明空間に照射される光の光量を増やすことができる。
【００２４】
この照明器具では、通電時において制御ブロック３の端子ｔ２ａ，ｔ１ａ間、端子ｔ２ｂ，ｔ１ｂ間が導通した状態となり、制御ブロック３を介して蓄電池４が外部電源に接続され、蓄電池４が充電される。尚、制御ブロック３には、外部電源から供給される交流電力を直流に変換し、所定の電圧値に降圧する回路（図示せず）が設けられている。
【００２５】
一方、外部電源の停電時には制御ブロック３の接続端子ｔ２ａ，ｔ３ａ間が導通し、接続端子ｔ２ｂ，ｔ３ｂ間が導通した状態になるから、ランプユニット２の接続端子ｔ４ａ，ｔ５ａ間、接続端子ｔ４ｂ，ｔ５ｂ間が制御ブロック３を介して導通した状態となる。この時、蓄電池４に電流制御回路６を介して光源５（白熱ランプ５Ａ又は発光ダイオード５Ｂ）が接続され、電流制御回路６によって電流値が調整された電流が光源５に供給されるから、光源５（白熱ランプ５Ａ又は発光ダイオード５Ｂ）が点灯する。
【００２６】
すなわち、制御ブロック３はランプユニット２の動作状態を通常時には第１動作状態（外部電源により蓄電池４を充電する動作状態）に切り替え、停電時には第２動作状態（蓄電池４からの電力で光源５を点灯させる動作状態）に切り替えている。
【００２７】
ここで、光源５が白熱ランプ５Ａの場合と発光ダイオード５Ｂの場合では、光源５に流す電流が異なるが、本実施形態では光源５に流す電流を調整する電流制御回路６がランプユニット２自体に設けられている。したがって、光源５の種類や明るさを変更したい場合にはランプユニット２のみの交換で対応でき、ランプユニット２の種類に関係無く、制御ブロック３を共通で使用できる。
【００２８】
以上説明したように、本発明の照明器具は、造営材に固定される器具本体１と、ランプユニット２と、制御ブロック３とを備えている。ランプユニット２は、蓄電池４、蓄電池４からの供給電力で点灯可能な光源５及び光源５に流れる電流を制御する電流制御回路６を具備する。制御ブロック３は、ランプユニット２の動作状態を、外部電源から電力供給を受けて蓄電池４を充電する第１動作状態、及び、蓄電池４からの電力で光源５を点灯させる第２動作状態の何れかに切り替える。制御ブロック３は器具本体１に取り付けられ、ランプユニット２は、器具本体１に着脱自在に取り付けられ、器具本体１に取り付けられた状態で制御ブロック３によって動作状態が切り替えられる。
【００２９】
これにより、停電時の点灯時間や光源の種類を変更したい場合でも、器具本体１に着脱自在に取り付けられるランプユニット２に蓄電池４と光源５と電流制御回路６が設けられているので、ランプユニット２を入れ替えることで対応できる。したがって、器具本体１の交換は不要であり、従来に比べて交換部品の数が減り、また交換作業の手間を少なくできるから、仕様の変更を容易且つ安価に行うことができる。さらに、電流制御回路６が光源５に流れる電流を制御することによって、所望の光量を得ることができ、また蓄電池４によって点灯可能な時間を制御することもできる。例えば電流を制限することで、点灯可能時間を延ばすことができ、従来は点灯可能時間が３０分であった照明器具を、光源５に流れる電流を低減したランプユニット２に交換することで、点灯可能時間を６０分以上に延ばすことができる。
【００３０】
尚、図２に示す照明器具では、配光を制御するための部材である反射鏡ユニット１０がランプユニット２と別体に形成されているが、配光を制御するための部材をランプユニット２と一体に設けてもよい。
【００３１】
例えば図４に示すように、ランプユニット２の器体２０の下面に、透光性を有する合成樹脂の成形品からなるレンズ部材２１を一体に取り付け、レンズ部材２１で照射光の配光を制御してもよい。図４の形態では器体２０に取付用バネ２２が設けられ、この取付用バネ２２を器具本体１の被係止部（図示せず）に引っ掛けることで、器体２０が器具本体１に取り付けられ、器具本体１の下側開口が器体２０によって閉塞される。
【００３２】
また図５に示すように、ランプユニット２の器体２０の下側に、反射鏡ユニット２３を適宜の方法で取り付け、この反射鏡ユニット２３で照射光の配光を制御してもよい。光源５は反射鏡ユニット２３の中央の孔２３ａから下側に露出しており、光源５から照射された光の一部（例えば横方向に照射される光）が、反射鏡ユニット２３の反射面２３ｂで所望の照明方向（例えば下側）に反射される。尚、図５の形態では反射鏡ユニット２３に取付用バネ２２が設けられ、この取付用バネ２２を器具本体１の被係止部（図示せず）に引っ掛けることで、器体２０が器具本体１に取り付けられ、器具本体１の下側開口が器体２０によって閉塞される。
【００３３】
このように、ランプユニット２が、光源５の配光を制御するレンズ（レンズ部材２１）、及び、光源５の照射光のうち少なくとも一部を所望の照明方向に反射する反射部材（反射鏡ユニット２３）の何れかを備えることも好ましく、所望の配光が得られる。また、レンズ或いは反射部材はランプユニット２に設けられているので、ランプユニット２と別体に設けられている場合に比べて、器具本体１に取り付ける際の手間を減らすことができる。
【符号の説明】
【００３４】
１  器具本体
２，２Ａ，２Ｂ  ランプユニット
３  制御ブロック
４  蓄電池
５  光源
５Ａ  白熱ランプ
５Ｂ  発光ダイオード
６  電流制御回路
【図１】
0005942254.tif 000002
【図２】
0005942254.tif 000003
【図３】
0005942254.tif 000004
【図４】
0005942254.tif 000005
【図５】
0005942254.tif 000006
【図６】
0005942254.tif 000007